(57)【要約】【課題】番組表を見ながら番組を選択する際、利用者が容易にまた速やかに番組を選択することが可能なデジタル放送受信機及び番組表表示方法を提供する。【解決手段】デジタル放送受信機は、放送番組の番組情報からキーワードを取得するキーワード取得部と、ネットワークを介して接続されたサーバから前記キーワードに関連した画像情報を取得する画像取得部と、前記番組情報と前記画像情報に基づいて番組表を作成する番組表生成部とを有する。【選択図】図１
2012023633.tif 000002
【特許請求の範囲】
【請求項１】
放送番組の番組情報からキーワードを取得するキーワード取得部と、
ネットワークを介して接続されたサーバから前記キーワードに関連した画像情報を取得する画像取得部と、
前記番組情報と前記画像情報に基づいて番組表を作成する番組表生成部と
を有するデジタル放送受信機。
【請求項２】
前記キーワード取得部は、利用者から指定された番組情報項目に基づいて前記キーワードを取得する請求項１記載のデジタル放送受信機。
【請求項３】
前記画像取得部は、前記ネットワークを介して接続された前記サーバに前記キーワードを送信し、前記キーワードに基づいて検索された画像情報を受信する請求項１記載のデジタル放送受信機。
【請求項４】
前記画像取得部は、前記画像情報と共に前記画像情報に関連したウェブサイト（web site）のＵＲＬ（Uniform Resource Locator）を取得する請求項１記載のデジタル放送受信機。
【請求項５】
前記番組表生成部は、前記画像情報に基づいて縮小画像を生成し前記番組表の番組表示部に前記縮小画像を組み込む請求項１記載のデジタル放送受信機。
【請求項６】
前記番組表生成部は、前記縮小画像を１個または複数組み込む請求項５記載のデジタル放送受信機。
【請求項７】
前記ウェブサイトに接続して画面に前記ウェブサイトの情報を表示するブラウザを有する請求項４記載のデジタル放送受信機。
【請求項８】
デジタル放送受信機における番組表表示方法であって、
放送番組の番組情報からキーワードを取得し、
ネットワークを介して接続されたサーバから前記キーワードに関連した画像情報を取得し、
前記番組情報と前記画像情報に基づいて番組表を作成して表示する番組表表示方法。
【発明の詳細な説明】
【技術分野】
【０００１】
本発明の実施形態は、デジタル放送を受信し、また、ネットワークを介して情報の伝送を行なうデジタル放送受信機及びその番組表表示方法に関する。
【背景技術】
【０００２】
近年、地上デジタル放送、ＢＳ／ＣＳデジタル放送が本格的に運用され、多くの番組が高画質、高音質で視聴できる環境が整ってきた。デジタル放送は、電子番組表（ＥＰＧ（Electronic Program Guide））の仕組みが備えられており、１週間先までの番組表が表示でき、放送時間や出演者など、番組内容の表示や知りたい情報の検索、番組の視聴予約を行うことができる。
【０００３】
また、デジタル放送受信機においては、放送番組を受像する機能のみならず、多くの機能が搭載されるようになってきており、例えば、通信機能を備え、インターネットなどのネットワークを介してさまざまな情報を取得することができるようになっている。
【０００４】
電子番組表は、新聞等のテレビ番組欄のように横方向にチャンネルを並べて表示し、縦方向に時間を示し、区切られた枠内に番組名と番組概要、出演者等を文字情報として表示している。利用者は、番組表を見ながら、リモコンのカーソルボタンを用いて選択し、決定ボタンを押下することによって所望の番組を視聴したり視聴予約することができる。
【先行技術文献】
【特許文献】
【０００５】
【特許文献１】特開２００１−８１２１
【発明の概要】
【発明が解決しようとする課題】
【０００６】
電子番組表は、利用者が画面を見ながら番組を選択できるので便利であるが、チャンネル数の増加に伴い、電子番組表の情報が多くなると、見たい番組を探し出すのに時間を要する場合がある。例えば表示装置の画面において、数チャンネルについて数時間に亘る時間帯が表示されるが、１画面内に表示しきれない番組を表示するために、表示内容を上下左右にスクロールさせることによって、数十番組の中から見たい番組を選択することになる。
【０００７】
以上のように多数の番組の中から文字情報を見ながら視聴する番組を探したり視聴予約、あるいは録画予約するには手間が掛かるため、もっと簡単にまた速やかに行えることが望まれている。
【０００８】
本発明の目的は、上記したような事情に鑑み成されたものであって、番組表を見ながら番組を選択する際、利用者が容易にまた速やかに番組を選択することが可能なデジタル放送受信機及び番組表表示方法を提供することである。
【課題を解決するための手段】
【０００９】
上記目的を達成するために、実施形態によれば、デジタル放送受信機は、放送番組の番組情報からキーワードを取得するキーワード取得部と、ネットワークを介して接続されたサーバから前記キーワードに関連した画像を取得する画像取得部と、前記番組情報と前記画像に基づいて番組表を作成する番組表生成部とを有する。
【図面の簡単な説明】
【００１０】
【図１】実施形態に係わるデジタル放送受信機を含むシステムの概要を示すブロック図。
【図２】実施形態に係わるデジタル放送受信機の構成を示すブロック図。
【図３】リモコンの実施形態を示した概観図。
【図４】画面に表示された番組情報の例を示した図。
【図５】画面に表示された番組表の例をした図。
【図６】ＵＲＬ表示ウィンドウが表示された状態を示した図。
【図７】画像情報の取得処理の動作手順を示したフローチャート。
【図８】番組表の表示処理の動作手順を示したフローチャート。
【発明を実施するための形態】
【００１１】
以下実施形態について図面を参照しながら説明する。図１は、実施形態に係わるデジタル放送受信機１を含むシステムの概要を示すブロック図である。デジタル放送受信機１は、放送局３０から放送されるデジタル放送（例えば、デジタルの地上波放送、ＢＳ（Broadcasting Satellite）放送、ＣＳ（Communication Satellite）放送、ＣＡＴＶ（Community Antenna TeleVision）等）を受信する機能を有する。
【００１２】
また、デジタル放送受信機１は、インターネット３１に接続され、ビデオオンデマンド方式やマルチキャスト方式の映像ストリームをダウンロードしエンコードすることができる。また、ネットワーク上にあるサーバ３２と情報を送受信する機能を有する。
【００１３】
サーバ３２は、インターネット上においてクライアント（例えば、デジタル放送受信機１）の要求に応じて検索した画像を送信する送受信部と静止画像あるいは動画像を含む画像情報３４を蓄積する記憶部を備えている。サーバ３２は、検索機能を有しており、例えばクライアントから送信されたキーワード３３に基づいて画像を検索し、アクセス数の多い順に画像を順位づけて、画像情報３４を提供することができる。
【００１４】
例えば、クライアントが「プロ野球」というキーワード３３で画像検索すれば、サーバ３２は、「プロ野球」に関連した画像情報３４を複数提示する。サーバ３２は、クライアントの要求に応じて、複数の画像情報３４をアクセス回数の多い順番、または、ファイルサイズの大小の順番等の順位付けに従って提示する。
【００１５】
クライアントは、提示された複数の画像情報３４の中から任意の画像情報３４を取得することができる。例えば、アクセス回数の多い順番において上位３個の画像情報３４を取得することができる。
【００１６】
サーバ３２は、画像情報３４に関連するウェブサイト（web site）のＵＲＬ（Uniform Resource Locator）を蓄積しており、クライアントに画像情報３４を提供すると共に、画像情報３４に関連するウェブサイトのＵＲＬを提供することができる。
【００１７】
図２は、実施形態のデジタル放送受信機１の構成を示したブロック図である。アンテナ２は、放送局３０から送信された放送電波を受信するための地上デジタル放送あるいは衛星デジタル放送用のアンテナである。
【００１８】
チューナ３は、地上デジタル放送あるいは衛星デジタル放送の放送信号の中から所望のチャンネルの放送信号を選局する。チューナ３は、複数のチューナユニットから構成されており、同時に複数の放送を受信することができる。
【００１９】
復調器４は、各々のデジタル放送の変調方式に対応して復調する。地上デジタル放送の信号は、ＯＦＤＭ（Orthogonal Frequency Division Multiplexing）復調で、衛星デジタル放送の信号は、ＰＳＫ（Phase Shift Keying）復調で、ＭＰＥＧ（Moving Picture Experts Group）−ＴＳ（Transport Stream）に復調され、デコード処理部５に出力される。
【００２０】
デコード処理部５は、ＭＰＥＧデコーダ、映像音声デコーダ等の機能を有する。デコード処理部５は、復調器４から送信されたＭＰＥＧ−ＴＳデータをセクション化して、番組情報のデータをデコードする。映像ＰＥＳ（Packetized Elementary Stream）に対しては映像ＥＳ（Elementary Stream)化、音声ＰＥＳに対しては音声ＥＳ化を行って映像データ及び音声データをデコードする。また、デコード処理部５は、録画装置１８からの再生データをデコードする。
【００２１】
重畳処理部６は、デコード処理部５からの映像データと、バス１２を介して転送されるデータ放送やＧＵＩデータ等のウィンドウ描画をプレーン管理して、映像データとの重ね合わせを行い、映像処理部７に送る。
【００２２】
映像処理部７は、表示装置８で表示可能なフォーマット（画素数、フレーム周波数、走査方式）に変換したり、表示色を任意に調整したりして、表示装置８に出力して映像を画面９に表示させる。
【００２３】
音声処理部１０は、デコード処理部５から伝送されたデジタルの音声データを、スピーカ１１で再生可能なアナログ音声信号に変換した後、スピーカ１１に出力して音声を再生させる。なお、表示装置８やスピーカ１１はデジタル放送受信機１の外部にあってもよい。またデジタル放送受信機１と別の筐体に納められていてもよい。
【００２４】
デジタル放送受信機１は、上記した受信動作を含むその全ての動作を制御部１３によって統括的に制御されている。制御部１３はＭＰＵ（Micro Processing Unit）１４が搭載されており、バス１２を介して接続された各構成要素を制御する。
【００２５】
ＲＡＭ（Random Access Memory）１５は、制御部１３のデータ処理に必要な各種データを格納するリード／ライトメモリであり、映像データ等を格納するバッファメモリとして動作する。ＲＯＭ（Read Only Memory）１６は読出し専用メモリであり、ＭＰＵ１４が実行する制御のプログラムなどを格納している。
【００２６】
フラッシュメモリ１７は、書き換え可能であり、電源を切ってもデータが消えない不揮発性の半導体メモリである。フラッシュメモリ１９は、外部のサーバ３２から取得した画像情報３４、録画番組情報、録画予約情報等を記憶する機能を有する。
【００２７】
録画装置１８は、ＨＤＤ（Hard Disk Drive）、ＳＳＤ（Solid State Drive）或いはＯＤＤ（Optical Disc Drive）等を含む録画手段である。録画装置１８には記録装置に情報を記録再生するためのエンコーダとデコーダが搭載されており、該エンコーダとデコーダを介してＭＰＥＧ−ＴＳデータが記録再生形態に適したフォーマットに変調されＨＤＤ、ＳＳＤ或いはＯＤＤに記録し、また再生する。再生データは、デコード処理部５でデコードされる。
【００２８】
外部インターフェース１９は、ＵＳＢ（Universal Serial Bus）、ＩＥＥＥ１３９４（Institute of Electrical and Electronic Engineers 1394）、あるいはｅＳＡＴＡ(external Serial ATA(AT Attachment)）、ＳＤ（Secure Digital）（登録商標）メモリカード等のインターフェースであり、ＵＳＢメモリやＵＳＢ外部機器、ＳＤメモリカード、ＨＤＤ、ＳＳＤ、ＣＤ−Ｒ／ＲＷ、ＤＶＤライター等のドライブ類を含む外部記憶装置２０が外部の録画手段として接続される。外部インターフェース１９を介して外部記憶装置２０に放送番組を録画することができる。番組を録画装置１８または外部記憶装置２０のどちらに録画するかを利用者が選択できる。
【００２９】
操作受信部２１は、操作機器２２から送信される操作信号を受信し、制御部１３に転送する。操作機器２２は、例えば、赤外線あるいはBluetooth等による無線通信を利用したリモコン（リモートコントローラ、remote controller）、有線式あるいは無線式キーボード等であり、操作信号を送出する。操作受信部２１は、そのリモコン、キーボード等から操作信号を受信する。
【００３０】
デジタル放送受信機１は、モデム（MODEM）等を含む送受信部２３を介してインターネット３１等のネットワークに接続されている。これにより、デジタル放送受信再生装置１は、ネットワーク上にあるサーバ３２等の機器と送受信部２３を介して情報伝送を行なうことができる。
【００３１】
制御部１３は、キーワード取得部２４、画像取得部２５、番組表生成部２６、ブラウザ２７の機能を有する。これらの機能は、制御部１３のＭＰＵ１４が実行するアプリケーションであり、通常はＲＯＭ１６に格納されており、使用時にはＭＰＵ１４によって読み出され実行される。
【００３２】
キーワード取得部２４は、デコード処理部５によってデコードされた放送番組の番組情報から利用者によって指定された番組情報項目のキーワード３３を取得する。番組情報を含むＥＰＧデータは映像・音声などと同様にパケット化され、多重されて送信されている。番組情報のデータは、ＳＩ(Service Information、番組配列情報)のＥＩＴ(Event Information Table)の中にあり、放送局名、放送日時、番組名、放送概要、出演者、番組詳細等の個々の番組に関する情報が含まれている。
【００３３】
キーワード取得部２４は、利用者から指定された番組情報項目（番組名、放送概要、出演者、番組詳細）を参照して、その番組情報項目における、例えば、出現頻度の最も多い普通名詞や固有名詞等の名詞の文字列をキーワード３３として抽出し、キーワード３３として取得する。取得したキーワード３３の情報は、一旦ＲＡＭ１５に記憶される。
【００３４】
利用者は、キーワード３３の設定について、予めどの番組情報項目（番組名、放送概要、出演者、番組詳細）についてのキーワード３３を取得するかを指定する。キーワード番組情報項目指定は、リモコンでメニューを選択して、階層表示された中からキーワード番組情報項目指定を選択し、番組情報項目（番組名、放送概要、出演者、番組詳細）を選択することにより実行される。また、選択した番組情報項目におけるキーワード３３の個数を指定することができる。
【００３５】
例えば、利用者がキーワード番組情報項目指定で、出演者を選択すると、キーワード取得部２４は、番組情報の中の出演者の情報の中からキーワード３３を抽出する。キーワード３３の優先順位は、例えば、出現頻度の多い順、出現頻度が同じ場合には出現順に取得する。キーワード３３を複数選択することが可能である。例えば、３個まで可能である。キーワード３３の個数が１個であれば、出演者１名、２個であれば、出演者２名をキーワード３３として取得する。
【００３６】
取得したキーワード３３の情報は、ＥＰＧデータと関連付けられてＲＡＭ１５に記憶される。従ってキーワード３３は、番組毎に取得される。ＥＰＧデータは、約１週間先までの番組のデータが放送されているが、キーワード取得部２４は、新しいＥＰＧデータを入手すると、その中からキーワード３３を取得する。キーワード３３の取得は、毎日同じ時刻に１回でもよいしＥＰＧデータが更新される毎に実施してもよい。
【００３７】
画像取得部２５は、ネットワーク３１を介して接続されたサーバ３２からキーワード３３に関連した画像情報３４を取得する。画像取得部２５は、キーワード取得部２４によって新しいキーワード３３が取得されると、送受信部２３を介してインターネット３１に接続されたサーバ３２にアクセスして、キーワード３３を送信し、サーバ３２にキーワード３３に関連した画像を要求する。
【００３８】
サーバ３２は、キーワード３３に基づいて画像を検索し、関連した画像情報３４を複数抽出し、デジタル放送受信機１の要求に応じて、複数の画像情報３４をアクセス回数の多い順番、または、ファイルサイズの大小の順番等の順位付けに従って画像を配列してデジタル放送受信機１に送信する。
【００３９】
画像取得部２５は、サーバ３２から送信された画像情報３４を取得する。画像取得部２５は、送信された複数の画像情報３４の中から任意の画像情報３４を取得することができる。例えば、アクセス回数の多い順番において上位３個の画像情報３４を取得することができる。
【００４０】
画像情報３４の取得の例として、一つの番組についてキーワードが１個の場合は、画像情報３４を３個取得し、キーワードが２個以上の場合は、キーワード１個について１個の画像を取得してもよいし、または、第１のキーワードについて画像情報３４を２個取得し第２のキーワードについては画像情報３４を１個取得してもよい。取得した画像情報３４は一旦ＲＡＭ１５に記憶された後、フラッシュメモリ１７あるいは録画装置１８にＥＰＧデータ、番組情報あるはキーワード３３と関連付けられて記憶される。
【００４１】
画像取得部２５は、画像情報３４を取得する際、画像情報３４と共に画像情報を含むウェブサイトのＵＲＬを取得する。サーバ３２は、画像情報３４に関連するウェブサイトのＵＲＬを蓄積しており、クライアントに画像情報３４を送信するとき、画像情報３４および画像情報３４に関連するウェブサイトのＵＲＬ情報をデジタル放送受信機１に送信する。
【００４２】
画像情報３４および画像情報３４に関連するウェブサイトのＵＲＬ情報は、一旦ＲＡＭ１５に記憶された後、フラッシュメモリ１７あるいは録画装置１８に画像情報３４と関連付けられて記憶される。なお、画像情報３４、画像情報３４および画像情報３４に関連するウェブサイトのＵＲＬ情報は、現在時刻以前の２４時間分のデータを保持することができる。フラッシュメモリ１７あるいは録画装置１８の容量に余裕があれば、更に過去の番組データを保存することも可能である。
【００４３】
番組表生成部２６は、ＥＰＧデータによる番組情報と画像情報３４に基づいて番組表を生成する。番組表の表示様態は放送受信機メーカや放送受信機の機種によって異なっているが、デジタル放送受信機１においては、新聞などにおけるテレビ番組欄のように横方向にチャンネルを並べたチャンネル軸を、縦方向に時間を表す時間軸を表示する。
【００４４】
番組表生成部２６によって生成された番組表は、重畳処理部６、映像処理部７と制御部１３によって構成された表示制御部２７によって表示装置８の画面９に表示される。
【００４５】
ブラウザ２７は、Ｗｅｂページを閲覧するための機能であり、例えば、ＨＴＭＬ（HyperText Markup Language）ブラウザである。インターネットからＨＴＭＬファイルや画像ファイル、音楽ファイルなどをダウンロードし、レイアウトを解析して表示・再生する。ブラウザ２７によって、サーバ３２から入手した画像情報３４に関連するウェブサイトのＵＲＬにアクセスして、Ｗｅｂページを画面９上で閲覧することができる。
【００４６】
図３は、リモコン４０の実施形態を示した概観図である。リモコン４０は赤外線あるいはBluetooth等による無線通信を利用して、デジタル放送受信機１の操作受信部２１へ操作信号を送る。電源ボタン４１は、デジタル放送受信機１の電源をオンまたはオフする。詳細にはデジタル放送受信機１を待機状態から動作状態、または動作状態から待機状態にするボタンである。
【００４７】
選局ボタン４２は、チャンネル番号を直接選択する１から１２までの番号が振られたボタンである。チャネル送りボタン４３は、チャネル番号を順送りまたは逆送りで選局するボタンであり、選局ボタン４２と同様にチャネルを選局するときに用いられる。音量調整ボタン４４は、番組を視聴するときの音量を調整するボタンである。
【００４８】
カーソルボタン４５は表示装置８の画面９に表示されたＧＵＩ画面の各種の情報ウィンドウ内のカーソルの移動や各種項目の選択ボタンの移動を行うためのボタンである。左方向カーソルボタン４５ａはカーソルを左方向に移動させるときに用いるボタンである。右方向カーソルボタン４５ｂ、上方向カーソルボタン４５ｃ、下方向カーソルボタン４５ｄはそれぞれカーソルを右方向、上方向、下方向に移動させるときに用いる。決定ボタン４６は、カーソルボタンで移動した先の位置または画面上のボタンを実行するときに用いられる。
【００４９】
番組表ボタン４７は、番組表を画面９に表示するときに操作する専用の操作ボタンである。メニューボタン４８は、デジタル放送受信機１に用意された各種の設定項目を表示するときに押下するボタンである。利用者は、階層表示された複数の項目の中から目的の設定項目を選択する。番組情報ボタン４９は、視聴中の番組の番組情報を画面に表示させるためのボタンである。
【００５０】
終了ボタン５０は、一連の操作を終了するときに操作するボタンである。記録機器操作ボタン５１は、記録機器に記録された番組を視聴する際に、再生、停止、一時停止、早送り再生、早戻し再生、次番組スキップ、先頭戻り・前番組スキップするためのボタンである。
【００５１】
図４は、画面９に表示された番組情報の例を示した図である。利用者が、番組を視聴中にリモコン４０の番組情報ボタン４９を押下すると、視聴中の番組の番組情報ウィンドウ６０が画面９に表示される。番組情報ウィンドウ６０内には、チャンネル情報６１、放送時間６２、放送事業者名（放送局名）６３、番組名６４、番組概要６５、出演者６６、番組詳細６７が、表示されている。
【００５２】
図４の例では、チャンネル情報６１はチャンネル番号「４」、詳細には「地デジ１４１」、放送時間６２は「１２／９（月）８：００ＰＭ〜９：５９ＰＭ」、放送事業者名（放送局名）６３は「ｍｒｎＶ放送」、番組名６４は「野球中継」、番組概要６５は「ジャイアント戦」、出演者６６は「江川太郎：実況、長嶋太郎：解説」、番組詳細６７は「プロ野球ジャイアントＶＳタイガーズ戦を江戸スタジアムより生放送」と表示されている。
【００５３】
利用者は、キーワード３３の設定について、予めどの番組情報項目（番組名、放送概要、出演者、番組詳細）についてのキーワード３３を取得するかを指定するが、その際、この番組情報の内容を参考にして、キーワード３３の番組情報項目を決めることができる。
【００５４】
図５は、画面９に表示された番組表７０の例をした図である。利用者がリモコン４０の番組表ボタン４７を押下すると番組表７０が画面９に表示される。番組表７０は画面９上にほぼ画面９一杯に表示される場合と画面９の中の範囲を指定して番組表の一部が表示される場合があるが、図５においては、ほぼ画面９一杯に表示された場合を示している。番組表７０は番組表生成部２６によって生成され、表示制御部２８によって画面９に表示される。
【００５５】
番組表７０の基本的な表示様態は、画面９の横方向にチャンネルを示すチャンネル軸７１、縦方向に時間を示す時間軸７２が配置されている。番組表７０のチャンネルと時間帯の表示範囲については、デジタル放送受信機１が受信可能なチャンネル全体および現在時刻以前２４時間と現在時刻以降の連続した時間を対象としている。一方、画面９における表示範囲は、画面９の大きさの制約からチャンネル数は数チャンネルであり、また時間帯は数時間である。図５においては、チャンネル数は６チャンネル、時間帯は３時間の範囲が表示されている。文字サイズを小さくしたり、画像サイズを小さくすることによって表示できるチャンネル数や時間帯を大きくすることができる。
【００５６】
図５において、チャンネル軸７１にはチャンネル７３ａ〜７３ｆが表示されている。リモコンのカーソルボタンを操作することにより、画面９に表示されていない他のチャンネルを右スクロールまたは左スクロールすることにより閲覧することができる。
【００５７】
番組表７０の初期の表示状態は、時間軸７２の略中心は現在時刻の時間帯となっている。つまり現在時刻に放送されている番組が番組表の時間軸の略中央に配置されるように表示される。図５において、現在時刻は１２月９日の午後８時３０分であり、午後８時から午後９時までの番組が時間帯の略中心になるように表示される。現在の放送番組より画面９の上部に表示されている番組は過去の番組であり、現在の放送番組より画面９の下部に表示されている番組がこれから放送される予定の未来の番組である。
【００５８】
時間軸７２には、３時間分の時間表示部７４ａ〜７４ｃが表示されている。時間表示部７４ａは１２月９日の午後７時から午後８までの１時間の時間帯、時間表示部７４ｂは１２月９日の午後８時から午後９時までの１時間の時間帯、時間表示部７４ｃは１２月９日の午後９時から午後１０時までの１時間の時間帯を表している。リモコンのカーソルボタンを操作することにより、画面９に表示されていない他の時間帯を上スクロールまたは下スクロールすることにより閲覧することができる。尚、時間表示部７４ａ〜７４ｃは画面右側にも表示されている。
【００５９】
時間軸を上にスクロールすると、現在より以前（過去）の番組の番組情報を見ることができる。見ることができる範囲は、例えば、２４時間前までである。フラッシュメモリ１７あるいは録画装置１８の容量に余裕があれば、更に過去の番組データを保存して見ることも可能である。
【００６０】
チャンネル表示部７３ａ〜７３ｆの内部にサムネイル表示部７５ａ〜７５ｆが配置されている。サムネイルとは、多数の画像を一覧表示するために縮小された画像のことである。画像は動画または静止画である。サムネイル表示部７５ａ〜７５ｆには、番組表７０を画面に表示した初期状態では、画面９に表示された現在時刻における各チャンネルの番組のサムネイルが表示されている。
【００６１】
番組表７０の上部には、番組表日付７６が表示されている。番組表日付７６には番組表の表示が可能な期間の日が表示され、画面９に表示している番組の日が他と比較して大きな文字で示されている。図５では、「１２／９（月）」の表示が大きく表示されている。番組表７０の上部の右側には、現在日時７７が表示されている。図５では、「１２／９（月）ＰＭ８：３０」が表示されている。
【００６２】
図５において、番組表示部７８の領域の各部分は、テキストデータによる番組名、番組概要（あるいはその一部）が表示されている。また、番組表示部７８の領域の各部分には、縮小画像７９が１個または複数表示されている。縮小画像７９は、画像取得部２５によって取得された画像情報３４を縮小した画像である。
【００６３】
番組表生成部２６は、ＥＰＧデータによる番組情報と画像情報３４に基づいて番組表を生成するときに、フラッシュメモリ１７あるいは録画装置１８に記憶された画像情報３４のデータをサムネイル画像のように縮小して番組表示部７８に組み込む。画像情報３４は、番組情報あるはキーワード３３と関連付けられて記憶されているため、同じ番組表示部７８の内部に配置される。
【００６４】
番組表示部７８の領域に縮小画像７９が表示されているため、利用者は、番組表を見ながら番組を選択する際、番組表に表示される文字情報に加えて、番組に関連性の高い画像を見ることができるため、興味のある番組を容易にまた速やかに選択することができる。
【００６５】
利用者が、例えば、番組表示部７８ａにカーソルを移動すると、番組表示部７８ａがハイライト表示される。(図５においてはハッチング表示。)このようにしてから、リモコンのメニューボタン４８を押下して、画像検索モードを選択することが可能である。画像検索モードでは、番組表示部７８ａにある複数の縮小画像７９について、画像情報３４と共に画像情報を含むウェブサイトのＵＲＬを表示することができる。
【００６６】
例えば、番組表示部７８ａ内の縮小画像７９ａを、カーソルボタン４５を使って選択し、決定ボタン４６を押下すると、画面に縮小画像７９の画像情報３４のＵＲＬと、画像情報３４に関連したウェブサイトのＵＲＬを表示する。
【００６７】
図６は、ＵＲＬ表示ウィンドウが表示された状態を示した図である。画面９の一部にＵＲＬ表示ウィンドウ８０が表示される。ＵＲＬ表示ウィンドウ８０の上段は、画像情報３４のＵＲＬ、下段は、画像情報３４を含むウェブサイトのＵＲＬあるいは、画像情報３４に関連するウェブサイトのＵＲＬが表示される。利用者は、カーソルボタン４５を押下して何れかを選択し、決定ボタン４６を押下すると、画面９の表示がウェブページの閲覧画面に切り替わり、インターネットブラウザ２７によって、画像情報３４のウェブサイト、あるいは、関連するウェブサイトをページを閲覧することができる。
【００６８】
番組表７０は、現在より以前（例えば、２４時間前まで）の番組の番組情報を見ることができ、過去番組についても、同様に縮小画像７９の画像情報３４のＵＲＬと、画像情報３４に関連したウェブサイトのＵＲＬを表示させることができる。過去番組の画像に関連した情報を番組が終了した後でも閲覧することができる。
【００６９】
図７は、画像情報３４の取得処理の動作手順を示したフローチャートである。Ｓ１１において、キーワード取得部２４は、デコード処理部５によってデコードされた放送番組の番組情報から指定された番組情報項目のキーワード３３を取得する。キーワード取得部２４は、利用者から指定された番組情報項目（番組名、放送概要、出演者、番組詳細）を参照して、その番組情報項目における、例えば、出現頻度の最も多い普通名詞や固有名詞等の名詞の文字列をキーワード３３として抽出し、キーワード３３として取得する。取得したキーワード３３の情報は、一旦ＲＡＭ１５に記憶される。
【００７０】
Ｓ１２において、画像取得部２５は、ネットワーク３１を介して接続されたサーバ３２からキーワード３３に関連した画像情報３４を取得する。画像取得部２５は、キーワード取得部２４によって新しいキーワード３３が取得されると、送受信部２３を介してインターネット３１に接続されたサーバ３２にアクセスして、キーワード３３を送信し、サーバ３２にキーワード３３に関連した画像を要求し、サーバ３２から送信された画像情報３４を取得する。
【００７１】
Ｓ１３において、画像取得部２５は、取得した画像情報３４を一旦ＲＡＭ１５に記憶させた後、フラッシュメモリ１７あるいは録画装置１８に番組情報あるいはキーワード３３と関連付けて記憶させる。
【００７２】
図８は、番組表７０の表示処理の動作手順を示したフローチャートである。Ｓ２１において、番組表生成部２６は、ＥＰＧデータによる番組情報と画像情報３４に基づいて番組表を生成する。番組表を生成するときに、フラッシュメモリ１７あるいは録画装置１８に記憶された画像情報３４のデータをサムネイル画像のように縮小して縮小画像７９を生成し、番組表示部７８に組み込んで1個または複数個の縮小画像７９を配置する。
【００７３】
Ｓ２２において、重畳処理部６、映像処理部７と制御部１３によって構成された表示制御部２７が、番組表生成部２６によって生成された番組表を表示装置８の画面９に表示する。
【００７４】
以上のように、キーワード取得部２４によって、放送番組の番組情報から指定された番組情報項目のキーワード３３を取得する。その際、利用者から指定された番組情報項目（番組名、放送概要、出演者、番組詳細）に基づいてキーワード３３を取得する。画像取得部２５によって、ネットワーク３１上のサーバ３２にアクセスしキーワード３３に関連した画像情報３４を取得し、フラッシュメモリ１７あるいは録画装置１８に番組情報あるはキーワード３３と関連付けて記憶させる。番組表生成部２６によって、フラッシュメモリ１７に記憶された画像情報３４のデータをサムネイル画像のように縮小し番組表示部７８に1個または複数個の縮小画像７９を組み込み、番組表７０を生成する。表示制御部２７によって、番組表７０を画面９に表示する。このようにすることによって、利用者は、番組表を見ながら番組を選択する際、番組に関連性の高い画像を見ることができるため、選局操作や録画予約を容易にまた速やかに行うことができる。
【００７５】
また、利用者は画像検索モードから番組表示部７８に表示された縮小画像７９に対して、縮小画像７９の画像情報３４のＵＲＬと共に画像情報３４に関連したウェブサイトのＵＲＬを表示することができ、更に画像情報３４のウェブサイト、あるいは、関連するウェブサイトのページを閲覧することができる。
【００７６】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に異なる実施形態に亘る構成要素を適宜組み合わせてもよい。
【符号の説明】
【００７７】
１  デジタル放送受信機
２  アンテナ
３  チューナ
４  復調器
５  デコード処理部
６  重畳処理部
７  映像処理部
８  表示装置
９  画面
１０  音声処理部
１１  スピーカ
１２  バス
１３  制御部
１４  ＭＰＵ
１５  ＲＡＭ
１６  ＲＯＭ記憶部
１７  フラッシュメモリ
１８  録画装置
１９  外部インターフェース
２０  外部記憶装置
２１  操作受信部
２２  操作機器
２３  送受信部
２４  キーワード取得部
２５  画像取得部
２６  番組表生成部
２７  ブラウザ
２８  表示制御部
３０  放送局
３１  インターネット
３２  サーバ
３３  キーワード
３４  画像情報
４０  リモコン
４５ａ、４５ｂ、４５ｃ、４５ｄ  カーソルボタン
４６  決定ボタン
４７  番組表ボタン
４８  メニューボタン
４９  番組情報ボタン
６０  番組情報ウィンドウ
７０  番組表
７１  チャンネル軸
７２  時間軸
７４  時間表示部
７８  番組表示部
７９  縮小画像
８０  ＵＲＬ表示ウィンドウ
【図１】
2012023633.tif 000003
【図２】
2012023633.tif 000004
【図３】
2012023633.tif 000005
【図４】
2012023633.tif 000006
【図５】
2012023633.tif 000007
【図６】
2012023633.tif 000008
【図７】
2012023633.tif 000009
【図８】
2012023633.tif 000010